(57)【要約】      （修正有）【課題】組み付けたブロックをケーシングに取り付ける作業を容易にするケーブル引出板を提供する。【解決手段】第一プレート１００は、一つ以上のケーブルＣを並列に挿通させるとともに、ケーブルに密着させるパッキン４２０を取り付ける取付部材４００が装着される第一溝を備え、取付部材は、外周面にねじ山４３０が形成されるとともに、パッキン４２０を挿入する挿入する挿入孔４１０を有し、第一溝は、取付部材のねじ山に対応したねじ山１１１が設けられ、第一溝のねじ山は、二つの第一プレートを合わせたときに取付部材のねじ山に螺合する第一螺旋孔１２０が形成されるように、交互に異なる向きに設けられている。【選択図】図９
2015042032.tif 000002
【特許請求の範囲】
【請求項１】
ケーブルを相通させる一対の第一プレートを備えたケーブル引出板において、
前記第一プレートは、一つ以上のケーブルを並列に挿通させるとともに、該ケーブルに密着させるパッキンを取り付ける取付部材が装着される第一溝を備え、
前記取付部材は、外周面にねじ山が形成されるとともに、前記パッキンを挿入する挿入する挿入孔を有し、
前記第一溝は、前記取付部材のねじ山に対応したねじ山が設けられ、
前記第一溝のねじ山は、二つの前記第一プレートを合わせたときに前記取付部材のねじ山に螺合する第一螺旋孔が形成されるように、交互に異なる向きに設けられていることを特徴とするケーブル引出板。
【請求項２】
前記第一プレートの両側には、二つの前記第一プレートに前記ケーブルを取り付ける第一取付孔が設けられていることを特徴とする請求項１記載のケーブル引出板。
【請求項３】
前記二つの前記第一プレートの取り付けは、ボルトとナットで構成されていることを特徴とする請求項２記載のケーブル引出板。
【請求項４】
前記第一プレートの間に、一つ以上のケーブルを並列に挿通させるとともに、該ケーブルに密着させるパッキンを取り付ける取付部材が装着される第二溝を備えた第二プレートを設け、
前記第二溝は、前記取付部材のねじ山に対応したねじ山が設けられ、
前記第二溝のねじ山は、交互に異なる向きに設けられた前記第一プレートの第一溝に対応して設けられ、
二つの前記第一プレートの間に前記第二プレートを取り付けたときに、前記第一溝と前記第二溝とにより、第二螺旋孔が形成されていることを特徴とする請求項１、２または３いずれか記載のケーブル引出板。
【請求項５】
前記第二プレートの両側には、第二取付孔が設けられ、
前記取付孔は、前記第二プレートに、一方の前記第一プレートおよび他方の前記第一プレートを取り付けるナットの収容孔と、
前記ボルトをねじ込んで挿入する第二取付孔が設けられていることを特徴とする請求項４記載のケーブル引出板。
【請求項６】
一対の前記第一プレートの間、または一対の第二プレートの間に、一対の第三プレートが設けられ、
前記第三プレートは、前記第一プレートまたは前記第二プレートの厚みを有する第一フランジ部と、該第一フランジ部も厚みよりも厚みがあり、互いの該第三プレートが対向する第二フランジ部とを有し、
前記第一フランジ部には、前記第一溝または前記第二溝に対応した第三溝が設けられ、
前記第二フランジ部には、一つ以上のケーブルを並列に挿通させるとともに、該ケーブルに密着させるパッキンを取り付ける取付部材が装着される第四溝が設けられ、
前記第三溝は、前記第一プレートの間、または一対の第二プレートの間に、二つの前記第三プレートを合わせたときに、前記取付部材のねじ山に螺合する第三螺旋孔が形成されるように、交互に異なる向きに設けられるとともに、前記第四溝は、二つの前記第三プレートを合わせたときに前記取付部材のねじ山に螺合する第四螺旋孔が形成されるように、交互に異なる向きに設けられていることを特徴とする請求項１、２、３、４または５いずれか記載のケーブル引出板。
【請求項７】
前記第三プレートの両側には、第三取付孔が設けられ、
前記第三取付孔は、前記第二プレートに、一方の前記第一プレートおよび他方の前記第一プレートを取り付けるナットの収容孔と、前記ボルトをねじ込んで挿入する第二取付孔が設けられていることを特徴とする請求項６記載のケーブル引出板。
【請求項８】
前記取付部材は、半分に分割された第一部材と第二部材とからなるコネクタであり、
前記第一部材および第二部材の接合部分には、これらを組み付ける取付部が設けられていることを特徴とする請求項１、４および６のいずれか記載のケーブル引出板。
【発明の詳細な説明】
【技術分野】
【０００１】
本発明は、ケーシング等の壁の開口からケーブルを引き出すケーブル引出板に関するものである。
【背景技術】
【０００２】
一つ以上のケーブルをケーシング等から引き出して、これらケーブルを保持する構成として、特許文献１のようなものがある。この構成は、ケーシング等の壁３の開口を覆うように取付られ且つケーブル１を通す方向に対して横切る方向に分離することが可能な複数のブロック１１〜１４を有する保持具１０からなる。
【０００３】
さらに、ブロック１１〜１４は隣接するブロックと合わせた状態で取り付けられ、隣接するブロックとの合わせ面側に、ケーブル１を通すための切り欠き部１１ａ〜１４ａと、この切り欠き部１１ａ〜１４ａと対応する位置に弾性パッキン１７〜１９を着脱可能に収容する中空部１１ｂ〜１４ｂとを有する。
【０００４】
これら各弾性パッキン１７〜１９は、ケーブル１を保持するための略半円形状の凹部７００１７ａ，１８ａ、１９ａを有し、この凹部７００と隣合うブロックに装着された弾性パッキンの凹部７００とによりケーブル１の周囲を覆ってケーブル１を保持するものである。
【先行技術文献】
【特許文献】
【０００５】
【特許文献１】特開平０９−００９４６３
【発明の開示】
【発明が解決しようとする課題】
【０００６】
特許文献１に記載された構成は、各ブロックの切り欠き部に弾性パッキンを入れ、これらブロック間に、ケーブルを介在させ、各ブロックをボルトナットでブロックを締め付けてケーブルを固定した後、このケーブルをケーシングから引き出して、組み付けたブロック（ケーブル保持具）をケーシングにねじ止め等で固定する。
【０００７】
また、ケーブルを多段に保持する場合には、切り欠き部に弾性パッキンを入れたブロックを、隣接するブロックと組み付け、さらに、この組み付けたブロックに対して隣接するブロックを組み付けて、ボルトナットでこれら組み付けたブロックを締め付けてケーブルを固定する。なお、各ブロックを組み付けるときには各ブロックの間にはケーブルは介在している。
【０００８】
このように、組み付けたブロック（ケーブル保持具）をケーシングにねじ止め等で固定する場合、組み付けたブロック（ケーブル保持具）にケーブルを固定することを前提とするものである。このため、組み付けたブロック（ケーブル保持具）に、ケーブルの挿入を追加したり、異なるケーブルに交換する場合、ケーシングから組み付けたブロック（ケーブル保持具）を取り外し、さらに、組み付けたブロック（ケーブル保持具）を分解したりする必要があり、組み付けたブロック（ケーブル保持具）をケーシングに取り付ける作業が煩雑になるという問題があった。
【課題を解決するための手段】
【０００９】
上記の問題を解決するために、本発明は、請求項１記載の発明においては、第一プレートは、一つ以上のケーブルを並列に挿通させるとともに、該ケーブルに密着させるパッキンを取り付ける取付部材が装着される第一溝を備え、取付部材は、外周面にねじ山が形成されるとともに、前記パッキンを挿入する挿入する挿入孔を有し、第一溝は、前記取付部材のねじ山に対応したねじ山が設けられ、第一溝のねじ山は、二つの前記第一プレートを合わせたときに前記取付部材のねじ山に螺合する第一螺旋孔が形成されるように、交互に異なる向きに設けられていることを特徴とする。
【００１０】
また、請求項２記載の発明においては、第一プレートの両側には、二つの前記第一プレートに前記ケーブルを取り付ける第一取付孔が設けられていることを特徴とする。請求項２記載の発明においては、二つの第一プレートの取り付けとして、ボルトとナットで構成されていることを特徴とする。
【００１１】
さらに、請求項４記載の発明は、第一プレートの間に、一つ以上のケーブルを並列に挿通させるとともに、該ケーブルに密着させるパッキンを取り付ける取付部材が装着される第二溝を備えた第二プレートを設け、第二溝は、取付部材のねじ山に対応したねじ山が設けられ、第二溝のねじ山は、交互に異なる向きに設けられた第一プレートの第一溝に対応して設けられ、
二つの第一プレートの間に第二プレートを取り付けたときに、第一溝と第二溝とにより、第二螺旋孔が形成されていることを特徴とする。
【００１２】
請求項５記載の発明は、第二プレートの両側には、第二取付孔が設けられ、取付孔は、第二プレートに、一方の第一プレートおよび他方の第一プレートを取り付けるナットの収容孔と、ボルトをねじ込んで挿入する第二取付孔が設けられていることを特徴とする。
【００１３】
請求項６記載の発明は、一対の第一プレートの間、または一対の第二プレートの間に、一対の第三プレートが設けられ、第三プレートは、第一プレートまたは第二プレートの厚みを有する第一フランジ部と、該第一フランジ部も厚みよりも厚みがあり、互いの該第三プレートが対向する第二フランジ部とを有し、第一フランジ部には、第一溝または第二溝に対応した第三溝が設けられ、第二フランジ部には、一つ以上のケーブルを並列に挿通させるとともに、該ケーブルに密着させるパッキンを取り付ける取付部材が装着される第四溝が設けられ、第三溝は、第一プレートの間、または一対の第二プレートの間に、二つの第三プレートを合わせたときに、取付部材のねじ山に螺合する第三螺旋孔が形成されるように、交互に異なる向きに設けられるとともに、第四溝は、二つの第三プレートを合わせたときに取付部材のねじ山に螺合する第四螺旋孔が形成されるように、交互に異なる向きに設けられていることを特徴とする。
【００１４】
請求項７記載の発明は、第三プレートの両側には、第三取付孔が設けられ、第三取付孔は、第二プレートに、一方の第一プレートおよび他方の第一プレートを取り付けるナットの収容孔と、ボルトをねじ込んで挿入する第二取付孔が設けられていることを特徴とする。
【００１５】
請求項８記載の発明は、取付部材は、半分に分割された第一部材と第二部材とからなるコネクタであり、第一部材および第二部材の接合部分には、これらを組み付ける取付部が設けられていることを特徴とする。
【発明の効果】
【００１６】
このように、第一プレートを組み合わせることによってケーブルを挿通させるとともに、ケーブルを固定する取付部材を装着する第一溝を設けることにより、外部器機に組み合わせた第一プレートを取り付けた状態でケーブルを固定することができる。また、組み合わせた第一プレートに装着する取付部分の外周をねじ山に形成し、第一プレートに取付部材のねじ山に対応したねじ山が形成された第一溝を設けるとともに、第一溝のねじ山を、二つの第一プレートを合わせたときに取付部材のねじ山に螺合する第一螺旋孔が形成されるように、交互に異なる向きに設けることにより、一つの第一プレートを共通使用することができる。
【図面の簡単な説明】
【００１７】
【図１】本発明のケーブル引出板の実施態様を示す概略図であり、（ａ）は上面図、（ｂ）は正面図、（ｃ）は右側面図。
【図２】図１の組図。
【図３】本発明のケーブル引出板の第二の実施態様を示す概略図であり、（ａ）は上面図、（ｂ）は正面図、（ｃ）は右側面図。
【図４】図３の組図。
【図５】本発明のケーブル引出板の第三の実施態様を示す概略図であり、（ａ）は上面図、（ｂ）は正面図、（ｃ）は右側面図。
【図６】図５の組図。
【図７】取付部材の概略図であり、（ａ）は上面図、（ｂ）は正面図、（ｃ）は左側面図、（ｄ）は右側面図。
【図８】ケーブルに取付部材を取り付けた状態を示す図。
【図９】図１に示された本発明のケーブル引出板に取付部材を取り付けケーブルを固定した部分断面図。
【発明を実施するための最良の形態】
【００１８】
以下、本発明の実施の形態を図面に基づいて説明する。図１、２に、本発明のケーブル引出板の概略図を示す。図１、２に示すように、ケーブル引出板は、二つの第一プレート１００を合わせたものである。
【００１９】
第一プレート１００は、ケーブルＣを通線（とおしせん）する方向に対し、第一溝１１０が並べて設けられている。さらに、第一溝１１０の終端縁には、ケーブルＣを相通する方向に沿って、弾性パッキン１４０が埋設されている。第一溝１１０は、後に述べる取付部材４００を装着するものである。この実施の形態では、第一溝１１０の外周面に、取付部材４００に外周面に形成されたねじ山４３０に対応したねじ山１１１が設けられ、取付部材４００をねじ込むことにより、二つを合わせた第一プレート１００に後に述べる取付部材４００が装着される。
【００２０】
図２に示すように、第一溝１１０に設けられているねじ山１１１は、ねじを切る方向を交互（Ａ、Ｂ）に変更している。つまり、ある一つの第一溝１１０に、ねじを初めに切る螺旋切り初め基準をＡとして矢印方向（図２（ｂ）参照）に螺旋を切った場合、隣接する他の第一溝１１０の螺旋切り初め基準をＡとは反対方向のＢとして、螺旋を切るものである。
【００２１】
この構成により、第一プレート１００の第一溝１１０に、交互にねじ山１１１を形成することにより、各第一プレート１００を反転させて、二つの第一プレート１００を組み合わせることで、取付部材４００のねじ山４３０に螺合する第一螺旋孔１２０が形成される。この結果、ケーブル引出板を構成する第一プレート１００の一つを共通使用することが可能となり、ケーブル引出板の製造原価を抑えることができる。
【００２２】
さらに、第一プレート１００の両側には、二つの第一プレート１００を組み付ける第一取付孔１３０が設けられている。これら第一プレート１００の組み付けは、ボルト５００とナット６００で行われ、第一取付孔１３０は、ボルト５００の頭、またはナット６００を収容する収容孔１５０と、ボルト５００を螺挿する螺挿孔１６０とが設けられている。
【００２３】
また、第一プレート１００が向かい合う面（第一溝１１０が設けれている側の面）には、二つの第一プレート１００を組み付ける時に、容易に位置合わせができるように、凹部７００と凸部８００が設けられている。具体的には、第一プレート１００の端部側に設けられ、一端側に凹部７００、他端側に凸部８００が、各々、設けられ、一方の第一プレート１００を反転させて、他方の第一プレート１００を組み付けたときに、凹凸部（７００、８００）が嵌り、容易に、二つの第一プレート１００の位置合わせを容易に行うことができる。
【００２４】
さらに、また、第一プレート１００の両端側には、ケーブルＣが挿通する方向に、図示しない機器に、組み付けた二つの第一プレート１００を固定する固定孔９００が設けられている。なお、後に述べる第二プレート２００および第三プレート３００にも設けられている。
【００２５】
取付部材４００は、組み付けた二つの第一プレート１００に挿通するケーブルＣを密着させて、ケーブル引出板に装着するものである。図に示すように、取付部材４００は、ケーブルＣの軸線方向に沿って、半分に分割されたコネクタである。この構成により、一旦、ケーブルＣを取付部材４００に通線させることなく、二つの第一プレート１００からなるケーブル引出板に取付部材４００を装着することができる。
【００２６】
さらに、詳しく述べると、取付部材４００は、第一部材４６０と、第二部材４７０と、ワッシャ４４０と、パッキン４２０とからなる。第一部材４６０および第二部材４７０は、挿通孔４１０、すなわちケーブルＣを挿通させる径を有し、第一螺旋孔１２０に螺合するねじ山４３０と、このねじ山４３０を第一螺旋孔１２０にねじ込むための締付部４８０とからなる。ねじ山４３０と締付部４８０との領域部位には、取付部材４００が必要以上にケーブル引出板に進入しないように規制する規制部４５０が設けられている。
【００２７】
さらに、第一部材４６０および第二部材４７０の接合部分には、これらを組み付ける取付部４９０が設けられている。具体的に、取付部４９０は、第一部材４６０のねじ山４３０側に設けられた接合溝（４９１、４９２）と、第二部材４７０のねじ山４３０側に設けられ、第一部材４６０の接合溝４９１に嵌合する突出部（４９３、４９４）と、第一部材４６０の締付部４８０の外周端部か突出した突起部４９４と、第二部材４７０の締付部４９０の外周縁に設けられ、第一部材４６０の突起部４９３に係合する係合部４９５とからなる。
【００２８】
ワッシャ４４０は、取付部材４００をケーブル引出板にねじ込んで装着したときに、その押圧力をパッキン４２０に伝達させ、パッキン４２０を弾性変形させるものである。パッキン４２０は、取付部材４００をケーブル引出板にねじ込んで装着したときに、ケーブルＣを密着保持するものである。なお、この実施の形態で、パッキン４２０は、一本のケーブルＣのみを保持するものしか開示されていないがこれに限定されることはなく、二本以上のケーブルＣを保持する構成であってもよい。また、ワッシャ４４０およびパッキン４２０は、ケーブルＣに、容易に組みつけができるように切込みが入っている。
【００２９】
以上の構成の下、ケーブルＣを通線（とおしせん）する場合には、一方の第一プレート１００に対し、他方の第一プレート１００を反転させて、各々に設けられた凹部７００、凸部８００を嵌めこんで、二つの第一プレート１００の位置合わせを行う。この後、ボルト５００とナット６００により、二つの第一プレート１００を組み付けて、この組み付けで形成された第一螺旋孔１２０にケーブルＣを通す。なお、ケーブルＣを通線は、二つの第一プレート１００の組み付け途中で行ってもよい。
【００３０】
次いで、図に示すように、第一部材４６０および第二部材４７０をケーブルＣに沿わせ、第一部材４６０のねじ山４３０側に設けられた接合溝（４９１、４９２）と、第二部材４７０のねじ山４３０側に設けられた突出部（４９３、４９４）とを途中まで嵌めこんだ後、ねじ山４３０の一端側を指で挟みこんで、その一端側を支点として、もう一方側に指で締付部４８０側の両側を挟み込んで、第一部材４６０の締付部４８０の外周端部か突出した突起部（４９３、４９４）を、第二部材４７０の締付部４８０の外周縁に設けられた係合部４９５に嵌め込んで、取付部材４００を組み付ける。
【００３１】
この後、ワッシャ４４０、パッキン４２０を介して、規制部４５０がケーブル引出板に当接するまで、取付部材４００の取付部材４００のねじ山４３０を第一螺旋孔１２０に螺合して、パッキン４２０を取付部材４００内で弾性変形させて、ケーブルＣを圧接させる。この押圧によりケーブルＣは確実に保持されるとともに、防水も確保される。
【００３２】
次に、第二の実施形態について述べる。第二の実施形態は、図２に示すように、通線するケーブルＣを二段にしたものである。この構成は、先に述べた二つの第一プレート１００の間に第二プレート２００を介在させたものである。
【００３３】
第二プレート２００は、第一プレート１００に設けられた第一溝１１０と同様に、ねじ山が形成された第二溝２１０が設けられている。また、第二溝２１０のねじ山も、第一溝１１０のねじ山と同じように、ねじを切る方向を交互（Ａ、Ｂ）に変更している。このように、構成することにより、第一プレート１００間に第二プレート２００を組み付けたとき、第一溝１１０のねじ山と第二溝２１０のねじ山とにより第二螺旋孔２２０が形成される。
【００３４】
また、第一プレート１００が向かい合う第二プレート２００の面（第二溝２１０が設けられている側の面）には、第一プレート１００に設けられた凹部７００と凸部８００に対応した凹凸部８００が設けられている。二つの第一プレート１００の間に第二プレート２００を組み付けたときに、各々の凹凸部８００が嵌り、容易に、これらのプレートの位置合わせを容易に行うことができる。
【００３５】
さらに、第一プレート１００の両側に設けられた第一取付孔１３０に対応する第二プレート２００の部位には、収納孔２４０と第二取付孔２３０とが設けられている。収納孔２４０はナット６００またはボルト５００の頭を収納するものであり、第二取付孔２３０は収容孔２４０と連通し、ナット６００を挿通させるものである。
【００３６】
この構成により、一方の第一プレート１００または他方の第二プレート２００を個々に取り外すことができ、さらに多段にする場合、全てのプレートを取り外して再度、二つの第一プレート１００と第二プレート２００とを組み付けるという作業をなくすことができ、ケーブルＣの通線作業をようにすることができる。
【００３７】
次に、本発明の第三の実施の形態について説明する。図に示すように、この実施の形態では、通線するケーブルＣを三段にしたものである。このケーブル引出板は、二つの第一プレート１００の間に、一対の第三プレート３００を介在させたものである。なお、この実施の形態では、一対の第三プレート３００に二つの第一プレート１００を挟んだ構成であるが、これに限定されることはなく、二つの第二プレート２００、または、二つの第二プレート２００、二つの第一プレート１００の順に介在させてもよい。
【００３８】
また、第一プレート１００が向かい合う第三プレート３００の面には、第一プレート１００に設けられた凹部７００と凸部８００に対応した凹凸部８００が設けられている。さらに、互いに向かい合う第三プレート３００の面にも、第一プレート１００と同様に、凹部７００と凸部８００とが設けられ、設けられた凹凸部８００に、各々に対応した凹凸部８００が嵌り、容易に、これらのプレートの位置合わせを容易に行うことができるようになっている。
【００３９】
さらに、第一プレート１００の両側に設けられた第一取付孔１３０に対応する第三プレート３００の部位には、第二プレート２００と同様に、ナット６００を外部から挿入する収納孔２４０が設けられている。この構成により、一方の第一プレート１００または他方の第二プレート２００を個々に取り外すことができ、さらに多段にする場合、全てのプレートを取り外して再度、二つの第一プレート１００と第二プレート２００とを組み付けるという作業をなくすことができ、ケーブルＣの通線作業を容易に行うことができる。
【００４０】
第三プレート３００は、第一プレート１００および第二プレート２００と同じ厚みを有する第一フランジ部３１０と、第一プレート１００および第二プレート２００の厚みより厚い第二フランジ部３２０とからなる。
【００４１】
第一フランジ部３１０には、第一プレート１００の第一溝１１０および第二プレート２００の第二溝２１０と同様な第三溝３１１が設けられている。さらに、第三溝３１１にはねじ山が形成されている。また、第三溝３１１のねじ山も、第一溝１１０のねじ山および第二溝２１０のねじ山と同じように、ねじを切る方向を交互（Ａ、Ｂ）に変更している。この構成により、第一プレート１００（または、第一プレート１００と第二プレート２００を組にしたもの）間に、第三プレート３００を組み付けたとき、第一溝１１０のねじ山（または第二溝２１０のねじ山）と第三溝３１１のねじ山とにより第三螺旋孔３３０が形成される。
【００４２】
第二フランジ部３２０は、ケーブルＣの通線作業が行いやすいように、第一プレート１００および第二プレート２００の厚みより厚くして、中央の位置で通線されるケーブルＣ領域が突出している。第二フランジ部３２０にも、第一フランジ部３１０の第三溝３１１と同様に、第四溝が設けられている。第四溝３２１は、二つの第三プレート３００を合わせたときに取付部材４００のねじ山に螺合する第四螺旋孔３２３が形成されるように、交互に異なる向きに、ねじを切る方向を交互（Ａ、Ｂ）に変更している。
【００４３】
以上の構成の下、ケーブルＣを通線（とおしせん）する場合には、第三プレート３００の第一フランジ部３１０を組み付けた後に第三プレート３００の各第二フランジ部３２０に各第一プレート１００を組み付ける、または、第三プレート３００の各第二フランジ部３２０に各第一プレート１００を組み付けた後に、第四螺旋孔３２３を形成する。次いで、組み付けた取付部材４００を、ワッシャ４４０、パッキン４２０を介して、規制部４５０がケーブル引出板に当接するまで、取付部材４００の取付部材４００のねじ山を第四螺旋孔３２３に螺合して、パッキン４２０を取付部材４００内で弾性変形させて、ケーブルＣを圧接させる。
【００４４】
このように、組み合わせた第一プレート１００に装着する取付部分の外周をねじ山に形成し、第一プレート１００に取付部材４００のねじ山に対応したねじ山が形成された第一溝１１０を設けるとともに、第一溝１１０のねじ山を、二つの第一プレート１００を合わせたときに取付部材４００のねじ山に螺合する第一螺旋孔１２０が形成されるように、交互に異なる向きに設けることにより、一つの第一プレート１００を共通使用することができる。
【産業上の利用可能性】
【００４５】
第一プレートを組み合わせることによってケーブルを挿通させるとともに、ケーブルを固定する取付部材を装着する第一溝を設けることにより、外部器機に組み合わせた第一プレートを取り付けた状態でケーブルを固定することができる。
【符号の説明】
【００４６】
１００  第一プレート
１１０  第一溝
１１１  ねじ山
１２０  第一螺旋孔
１３０  第一取付孔
２００  第二プレート
２１０  第二溝
２１１  ねじ山
２２０  第二螺旋孔
２３０  第二取付孔
２４０  収納孔
３００  第三プレート
３１０  第一フランジ部
３１１  第三溝
３１２  ねじ山
３１３  第三螺子孔
３２０  第二フランジ部
３２１  第四溝
３２２  ねじ山
３２３  第四螺子孔
３３０  第三取付孔
４００  取付部材
４１０  挿入孔
４２０  パッキン
４３０  ねじ山
５００  ボルト
６００  ナット
Ｃ  ケーブル
【図１】
2015042032.tif 000003
【図２】
2015042032.tif 000004
【図３】
2015042032.tif 000005
【図４】
2015042032.tif 000006
【図５】
2015042032.tif 000007
【図６】
2015042032.tif 000008
【図７】
2015042032.tif 000009
【図８】
2015042032.tif 000010
【図９】
2015042032.tif 000011